(57)【要約】本発明は目保護カバー支持台に関し、メイン連結部（１０）によって折畳可能に連結される前面カバー（２０）及び後面カバー（３０）と；前面カバー（２０）及び後面カバー（３０）の背面に第１分節ライン（２５ａ）（３５ａ）によって連結されて、その前面カバー（２０）及び後面カバー（３０）に折畳まれる第１前面折畳カバー（２５）及び第１後面折畳カバー（３５）と；第１前面折畳カバー（２５）及び第１後面折畳カバー（３５）の上部側の第２分節ライン（２６ａ）（３６ａ）によって前面カバー（２０）及び後面カバー（３０）の背面に連結されて、その前面カバー（２０）及び後面カバー（３０）に折畳まれる第２前面折畳カバー（２６）及び第２後面折畳カバー（３６）と；前面カバー（２０）及び後面カバー（３０）と第１前面折畳カバー（２５）及び第１後面折畳カバー（３５）との間に連結されて、その前面カバー（２０）及び後面カバー（３０）と第１前面折畳カバー（２５）及び第１後面折畳カバー（３５）との間の広げられた角度を維持するようにする第１角度維持部と；前面カバー（２０）及び後面カバー（３０）と第２前面折畳カバー（２６）及び第２後面折畳カバー（３６）との間に連結されて、その前面カバー（２０）及び後面カバー（３０）と第２前面折畳カバー（２６）及び第２後面折畳カバー（３６）との間の広げられた角度を維持するようにする第２角度維持部と；を含むことを特徴とする。
2010538789.tif 000002
【特許請求の範囲】
【請求項１】
メイン連結部（１０）によって折畳可能に連結される前面カバー（２０）及び後面カバー（３０）と；
上記前面カバー（２０）及び後面カバー（３０）の背面に第１分節ライン（２５ａ）（３５ａ）によって連結されて、その前面カバー（２０）及び後面カバー（３０）に折畳まれる第１前面折畳カバー（２５）及び第１後面折畳カバー（３５）と；
第１前面折畳カバー（２５）及び第１後面折畳カバー（３５）の上部側の第２分節ライン（２６ａ）（３６ａ）によって前面カバー（２０）及び後面カバー（３０）の背面に連結されて、その前面カバー（２０）及び後面カバー（３０）に折畳まれる第２前面折畳カバー（２６）及び第２後面折畳カバー（３６）と；
上記前面カバー（２０）及び後面カバー（３０）と第１前面折畳カバー（２５）及び第１後面折畳カバー（３５）との間に連結されて、その前面カバー（２０）及び後面カバー（３０）と第１前面折畳カバー（２５）及び第１後面折畳カバー（３５）との間の広げられた角度を維持するようにする第１角度維持部と；
上記前面カバー（２０）及び後面カバー（３０）と第２前面折畳カバー（２６）及び第２後面折畳カバー（３６）との間に連結されて、その前面カバー（２０）及び後面カバー（３０）と第２前面折畳カバー（２６）及び第２後面折畳カバー（３６）との間の広げられた角度を維持するようにする第２角度維持部と；を含むことを特徴とする目保護カバー支持台。
【請求項２】
上記第１前面折畳カバー（２５）及び第１後面折畳カバー（３５）の下端角と上記前面カバー（２０）及び後面カバー（３０）に設置されて、その第１前面折畳カバー（２５）及び第１後面折畳カバー（３５）が折畳まれた状態を維持できるようにする第１着脱部（５１ａ）（５１ｂ）と；
上記第２前面折畳カバー（２６）及び第２後面折畳カバー（３６）の下端角と上記前面カバー（２０）及び後面カバー（３０）に設置されて、その第２前面折畳カバー（２６）及び第２後面折畳カバー（３６）が折畳まれた状態を維持できるように第２着脱部（５２ａ）（５２ｂ）と；をさらに含むことを特徴とする請求項１に記載の目保護カバー支持台。
【請求項３】
上記第１角度維持部（４５）は、
上記第１前面折畳カバー（２５）及び第１後面折畳カバー（３５）と前面カバー（２０）及び後面カバー（３０）との間に連結されて固定される帯形状の部材で具現されることを特徴とする請求項１に記載の目保護カバー支持台。
【請求項４】
上記第１角度維持部（１４５）は、
上記第１前面折畳カバー（２５）及び第１後面折畳カバー（３５）と連結されて、上記前面カバー（２０）及び後面カバー（３０）の下部側に掛けられる帯形状の部材（１４５ａ）と、上記前面カバー（２０）及び後面カバー（３０）の上部側に所定の間隔で形成される第１着脱部（１４５ｂ）と、上記帯形状の部材（１４５ａ）に設置されて上記第１着脱部（１４５ｂ）に着脱される第２着脱部（１４５ｃ）とを含むことを特徴とする請求項１に記載の目保護カバー支持台。
【請求項５】
上記第１角度維持部（２４５）は、
上記前面カバー（２０）及び後面カバー（３０）の下端に折畳可能に連結され、上記第１前面折畳カバー（２５）及び第１後面折畳カバー（３５）の端部が嵌められる多数の係止突起（２４５ａ）が形成された部材で具現されることを特徴とする請求項１に記載の目保護カバー支持台。
【請求項６】
上記第１角度維持部（５４５）は、
上記前面カバー（２０）及び後面カバー（３０）の下端に折畳可能に連結され、その内部に所定の間隔で第１磁力式着脱部（５４５ｂ）が内蔵された平板部材（５４５ａ）と、上記第１前面折畳カバー（２５）及び第１後面折畳カバー（３５）の端部に内蔵されて、上記第１磁力式着脱部（５４５ｂ）に着脱される第２磁力式着脱部（５４５ｃ）とを含んで具現されたことを特徴とする請求項１に記載の目保護カバー支持台。
【請求項７】
上記第１角度維持部（６４５）は、
上記前面カバー（２０）及び後面カバー（３０）の端部の全体面と上記第１前面折畳カバー（２５）及び第１後面折畳カバー（３５）の端部の全体面を連結し、折畳まれることができるように中央に折り目が形成されたシート部材で具現されることを特徴とする請求項１に記載の目保護カバー支持台。
【請求項８】
上記第１角度維持部は、
上記前面カバー（２０）及び後面カバー（３０）の下端に折畳可能に連結され、内側にガイド溝（７４５ａ）が形成され、上部側に上記第１前面折畳カバー（２５）及び第１後面折畳カバー（３５）の端部が嵌められる多数の第１係止突起（７４５ｂ）が形成されたボディー（７４５）と、上記ガイド溝（７４５ａ）に沿ってスライドされ、上部側に上記第１前面折畳カバー（２５）及び第１後面折畳カバー（３５）の端部が嵌められる多数の第２係止突起（７４６ｂ）が形成されたスライダー（７４６）を含むことを特徴とする請求項１に記載の目保護カバー支持台。
【請求項９】
上記第１角度維持部は、
上記前面カバー（２０）及び後面カバー（３０）の下端に折畳可能に連結され、内側にガイド溝（８４５ａ）が形成され、上部側に上記第１前面折畳カバー（２５）及び第１後面折畳カバー（３５）の端部が嵌められる多数の第１係止突起（８４５ｂ）が形成されたボディー（８４５）と、上記ガイド溝（８４５ａ）の端部に回動可能に設置されて、そのガイド溝（８４５ａ）に嵌められたり広げられるもので、上部側に上記第１前面折畳カバー（２５）及び第１後面折畳カバー（３５）の端部が嵌められる多数の第２係止突起（８４６ｂ）が形成された回転バー（８４６）とを含むことを特徴とする請求項１に記載の目保護カバー支持台。
【請求項１０】
上記第１角度維持部は、
上記前面カバー（２０）及び後面カバー（３０）のそれぞれに直角方向に内蔵されて、端部に離脱防止突起（９４５ａ）が形成されたガイド管（９４５）と、上記ガイド管（９４５）の内部でスライドされ、上記離脱防止突起（９４５ａ）に掛けられる離脱防止突起（９４６ａ）が形成され、上部側に上記第１前面折畳カバー（２５）及び第１後面折畳カバー（３５）の端部が嵌められる多数の係止突起（９４６ｂ）が形成されたスライダー（９４６）とを含むことを特徴とする請求項１に記載の目保護カバー支持台。
【請求項１１】
上記第１角度維持部（１０４５）は、
上記前面カバー（２０）及び後面カバー（３０）のそれぞれの下端に折畳可能に連結され、上記第１前面折畳カバー（２５）及び第１後面折畳カバー（３５）にそれぞれ形成された穿孔溝（２５ｃ）（３５ｃ）に貫通されて嵌められる多数の係止突起部（１０４５ａ）が形成された部材で具現されたことを特徴とする請求項１に記載の目保護カバー支持台。
【請求項１２】
上記第２前面折畳カバー（２６）及び第２後面折畳カバー（３６）の上部側の第３分節ライン（２７ａ）（３７ａ）によって上記前面カバー（２０）及び後面カバー（３０）の背面に連結されて、その前面カバー（２０）及び後面カバー（３０）に折畳まれる第３前面折畳カバー（２７）及び第３後面折畳カバー（３７）と；
上記前面カバー（２０）及び後面カバー（３０）と上記第３前面折畳カバー（２７）及び第３後面折畳カバー（３７）との間の広げられた角度を維持するようにする第３角度維持部（４７）とをさらに含むことを特徴とする請求項１に記載の目保護カバー支持台。
【請求項１３】
上記メイン連結部（１０）と前面カバー（２０）と後面カバー（３０）の中のいずれか一つまたは両側に設置され、各種情報が印刷されたり、筆記ができるようにするページ部を着脱可能に支持するための着脱支持部（６０）をさらに含むことを特徴とする請求項１または請求項２に記載の目保護カバー支持台。
【請求項１４】
上記着脱支持部は、
メイン連結部（１０）に所定の間隔で設置される第１着脱部（６１）と、ページ部の前面と後面がそれぞれ嵌められるポケット（６３ａ）（６３ｂ）が形成されたページ支持部（６３）と、ページ支持部（６３）を製本する部分に設置されて第１着脱部（６１）に着脱される第２着脱部（６２）とを含むことを特徴とする請求項１３に記載の目保護カバー支持台。
【請求項１５】
上記メイン連結部（１０′）は、
上記前面カバー（２０）と後面カバー（３０）を連結するスプリングで；
上記スプリングであるメイン連結部（１０′）に掛けられないように、上記第１前面カバー（２５′）と第１後面折畳カバー（３５′）は分離されて、上記メイン連結部（１０′）の両側に折畳まれて、上記第２前面折畳カバー（２６′）と第２後面折畳カバー（３６′）が上記メイン連結部（１０′）の両側に折畳まれることを特徴とする請求項１に記載の目保護カバー支持台。
【請求項１６】
上記第１前面折畳カバー（２５′）と第１後面折畳カバー（３５′）を連結したり、上記第２前面折畳カバー（２６′）と第２後面折畳カバー（３６′）を連結したり、上記前面カバー（１０）と後面カバー（２０）を連結する連結部材をさらに含むことを特徴とする請求項１５に記載の目保護カバー支持台。
【請求項１７】
メイン連結部（１１０）によって折畳可能に連結される前面カバー（１２０）及び後面カバー（１３０）と；
上記前面カバー（１２０）及び後面カバー（１３０）の背面に共通分節ライン（１２５ａ）（１３５ａ）によって連結されて、その前面カバー（１２０）及び後面カバー（１３０）に折畳まれる第１前面折畳カバー（１２５）及び第１後面折畳カバー（１３５）と；
上記共通分節ライン（１２５ａ）（１３５ａ）に連結されて、上記第１前面折畳カバー（１２５）及び第１後面折畳カバー（１３５）に折畳まれる第２前面折畳カバー（１２６）及び第２後面折畳カバー（１３６）と；
上記前面カバー（１２０）及び後面カバー（１３０）と第１前面折畳カバー（１２５）及び第１後面折畳カバー（１３５）との間に連結されて、その前面カバー（１２０）及び後面カバー（１３０）と第１前面折畳カバー（１２５）及び第１後面折畳カバー（１３５）との間の広げられた角度を維持するようにする第１角度維持部（１０４５）と；
上記第１前面折畳カバー（１２５）及び第１後面折畳カバー（１３５）と第２前面折畳カバー（１２６）及び第２後面折畳カバー（１３６）との間に連結されて、その第１前面折畳カバー（１２５）及び後面折畳カバー（１３５）と第２前面折畳カバー（１２６）及び第２後面折畳カバー（１３６）との間の広げられた角度を維持するようにする第２角度維持部（１０４６）と；を含むことを特徴とする目保護カバー支持台。
【請求項１８】
上記第１前面折畳カバー（１２５）及び第１後面折畳カバー（１３５）のそれぞれに形成され、上記第２前面折畳カバー（１２６）及び第２後面折畳カバー（１３６）が嵌められる段差部（１２５′）（１３５′）をさらに含むことを特徴とする請求項１７に記載の目保護カバー支持台。
【請求項１９】
上記第１前面折畳カバー（１２５）及び第１後面折畳カバー（１３５）の下端角と上記前面カバー（１２０）及び後面カバー（１３０）に設置されて、その第１前面折畳カバー（１２５）及び第１後面折畳カバー（１３５）が折畳まれた状態を維持できるようにする第１着脱部（１５１ａ）（１５１ｂ）と；
上記第２前面折畳カバー（１２６）及び第２後面折畳カバー（１３６）の下端角と上記第１前面カバー（１２５）及び後面カバー（１３５）に設置され、その第２前面折畳カバー（１２６）及び後面折畳カバー（１３６）が上記第１前面カバー（１２５）及び第１後面カバー（１３５）に折畳まれた状態を維持できるように第２着脱部（１５２ａ）（１５２ｂ）とをさらに含むことを特徴とする請求項１７に記載の目保護カバー支持台。
【請求項２０】
上記共通分節ライン（１２５ａ）（１３５ａ）の上部側の第３分節ライン（１２７ａ）（１３７ａ）によって、上記前面カバー（１２０）及び後面カバー（１３０）の背面に連結されて、その前面カバー（１２０）及び後面カバー（１３０）に折畳まれる第３前面折畳カバー（１２７）及び第３後面折畳カバー（１３７）と；
上記前面カバー（１２０）及び後面カバー（１３０）と上記第３前面折畳カバー（１２７）及び第３後面折畳カバー（１３７）との間の広げられた角度を維持するようにする第３角度維持部（７４７）とをさらに含むことを特徴とする請求項１７に記載の目保護カバー支持台。
【請求項２１】
上記メイン連結部（１１０）と前面カバー（１２０）と後面カバー（１３０）の中のいずれか一つまたは両側に設置され、各種情報が印刷されたり、筆記ができるようにするページ部を着脱可能に支持するための着脱支持部（１６０）をさらに含むことを特徴とする請求項１７に記載の目保護カバー支持台。
【請求項２２】
上記着脱支持部（１６０）は、
上記メイン連結部（１１０）に所定の間隔で設置される第１着脱部（１６１）と、ページ部の前面と後面がそれぞれ嵌められるポケット（１６３ａ）（１６３ｂ）が形成されたページ支持部（１６３）と、ページ支持部（１６３）を製本する部分に設置されて第１着脱部（１６１）に着脱される第２着脱部（１６３）とを含むことを特徴とする請求項２１に記載の目保護カバー支持台。
【請求項２３】
メイン連結部（２１０）によって折畳可能に連結される前面カバー（２２０）及び後面カバー（２３０）と；
上記前面カバー（２２０）及び後面カバー（２３０）の背面に分節ライン（２２５ａ）（２３５ａ）によって連結されて、その前面カバー（２２０）及び後面カバー（２３０）に折畳まれ、その内側に前面貫通部（２２６ｂ）及び後面貫通部（２３６ｂ）が形成された第１前面折畳カバー（２２５）及び第１後面折畳カバー（２３５）と；
上記前面貫通部（２２６ｂ）及び後面貫通部（２３６ｂ）の内側に位置され、上記前面貫通部（２２６ｂ）及び後面貫通部（２３６ｂ）の内側の分節ライン（２２６ａ）（２３６ａ）に連結されて、上記前面カバー（２２０）及び後面カバー（２３０）に折畳まれる第２前面折畳カバー（２２６）及び第２後面折畳カバー（２３６）と；
上記前面カバー（２２０）及び後面カバー（２３０）と第１前面折畳カバー（２２５）及び第１後面折畳カバー（２３５）との間に連結されて、その前面カバー（２２０）及び後面カバー（２３０）と第１前面折畳カバー（２２５）及び第１後面折畳カバー（２３５）との間の広げられた角度を維持するようにする第１角度維持部（１１４５）と；
上記前面カバー（２２０）及び後面カバー（２３０）と第２前面折畳カバー（２２６）及び第２後面折畳カバー（２３６）との間に連結されて、その前面カバー（２２０）及び後面カバー（２３０）と第２前面折畳カバー（２２６）及び第２後面折畳カバー（２３６）との間の広げられた角度を維持するようにする第２角度維持部（１１４６）と；を含むことを特徴とする目保護カバー支持台。
【請求項２４】
上記前面貫通部（２２６ｂ）と後面貫通部（２３６ｂ）は互いに連結されており；
上記第１前面折畳カバー（２２６）と第１後面折畳カバー（２３６）は分節ライン（２１６ａ）によって連結されることを特徴とする請求項２３に記載の目保護カバー支持台。
【発明の詳細な説明】
【技術分野】
【０００１】
本発明は多様な型の製品に応用されることができる目保護カバー支持台に関し、さらに詳しくは、携帯性と使用性を向上させることができる目保護カバー支持台に関する。
【背景技術】
【０００２】
説明しようとする内容が含まれるページ部とそのページ部の両側に折畳まれるカバーとで構成される製品、例えば書籍、ノ−ト、メモ手帳、アルバム、写真集、名刺入れ、ダイアリー、カレンダー、保険会社や銀行等のカタログ、電子手帳等のような製品は、ページ部を使用したり、筆記しようとする時、その製品をテーブルの上において体を前方に引いて頭を下げることが多かった。
【０００３】
しかし、テーブルに向かって体を前に引いて頭を下げる姿勢は、腰と目に負担を与える姿勢で、長期的に繰り返す場合に、脊椎疾患、視力減退、蓄膿症、勉強能率の低下などの問題が多く発生した。
【発明の概要】
【発明が解決しようとする課題】
【０００４】
本発明は上記のような従来の技術問題点を解決するために創出されたもので、本発明は腰や頭を下げないで使用することができて、便利さを極大化することができ、さらに携帯性を向上させることができる目保護カバー支持台を提供することを目的とする。
【課題を解決するための手段】
【０００５】
上記の目的を達するための本発明の第１実施形態による目保護カバー支持台は、メイン連結部１０によって折畳可能に連結される前面カバー２０及び後面カバー３０と；上記前面カバー２０及び後面カバー３０の背面に第１分節ライン２５ａ、３５ａによって連結されて、その前面カバー２０及び後面カバー３０に折畳まれる第１前面折畳カバー２５及び第１後面折畳カバー３５と；第１前面折畳カバー２５及び第１後面折畳カバー３５の上部側の第２分節ライン２６ａ、３６ａによって前面カバー２０及び後面カバー３０の背面に連結されて、その前面カバー２０及び後面カバー３０に折畳まれる第２前面折畳カバー２６及び第２後面折畳カバー３６と；上記前面カバー２０及び後面カバー３０と第１前面折畳カバー２５及び第１後面折畳カバー３５との間に連結されて、その前面カバー２０及び後面カバー３０と第１前面折畳カバー２５及び第１後面折畳カバー３５との間の広げられた角度を維持するようにする第１角度維持部と；上記前面カバー２０及び後面カバー３０と第２前面折畳カバー２６及び第２後面折畳カバー３６との間に連結されて、その前面カバー２０及び後面カバー３０と第２前面折畳カバー２６及び第２後面折畳カバー３６との間の広げられた角度を維持するようにする第２角度維持部と；を含むことを特徴とする。
【０００６】
上記の目的を達するための本発明の第２実施形態による目保護カバー支持台は、メイン連結部１１０によって折畳可能に連結される前面カバー１２０及び後面カバー１３０と；上記前面カバー１２０及び後面カバー１３０の背面に共通分節ライン１２５ａ、１３５ａによって連結されて、その前面カバー１２０及び後面カバー１３０に折畳まれる第１前面折畳カバー１２５及び第１後面折畳カバー１３５と；上記共通分節ライン１２５ａ、１３５ａに連結されて、上記第１前面折畳カバー１２５及び第１後面折畳カバー１３５に折畳まれる第２前面折畳カバー１２６及び第２後面折畳カバー１３６；上記前面カバー１２０及び後面カバー１３０と第１前面折畳カバー１２５及び第１後面折畳カバー１３５との間に連結されて、その前面カバー１２０及び後面カバー１３０と第１前面折畳カバー１２５及び第１後面折畳カバー１３５との間の広げられた角度を維持するようにする第１角度維持部１０４５と；上記第１前面折畳カバー１２５及び第１後面折畳カバー１３５と第２前面折畳カバー１２６及び第２後面折畳カバー１３６との間に連結されて、その第１前面折畳カバー１２５及び第１後面折畳カバー１３５と第２前面折畳カバー１２６及び第２後面折畳カバー１３６との間の広げられた角度を維持するようにする第２角度維持部１０４６と；を含むことを特徴とする。
【０００７】
上記の目的を達するための本発明の第３実施形態による目保護カバー支持台は、メイン連結部２１０によって折畳可能に連結される前面カバー２２０及び後面カバー２３０と；上記前面カバー２２０及び後面カバー２３０の背面に分節ライン２２５ａ、２３５ａによって連結されて、その前面カバー２２０及び後面カバー２３０に折畳まれるもので、その内側に前面貫通部２２６ｂ及び後面貫通部２３６ｂが形成された第１前面折畳カバー２２５及び第１後面折畳カバー２３５と；上記前面貫通部２２６ｂ及び後面貫通部２３６ｂの内側に位置されて、上記前面貫通部２２６ｂ及び後面貫通部２３６ｂの内側の分節ライン２２６ａ、２３６ａによって連結されて、上記前面カバー２２０及び後面カバー２３０に折畳まれる第２前面折畳カバー２２６及び第２後面折畳カバー２３６と；上記前面カバー２２０及び後面カバー２３０と第１前面折畳カバー２２５及び第１後面折畳カバー２３５との間に連結されて、その前面カバー２２０及び後面カバー２３０と第１前面折畳カバー２２５及び第１後面折畳カバー２３５との間の広げられた角度を維持するようにする第１角度維持部１１４５と；上記前面カバー２２０及び後面カバー２３０と第２前面折畳カバー２２６及び第２後面折畳カバー２３６との間に連結されて、その前面カバー２２０及び後面カバー２３０と第２前面折畳カバー２２６及び第２後面折畳カバー２３６との間の広げられた角度を維持するようにする第２角度維持部１１４６と；を含むことを特徴とする。
【０００８】
本発明の特徴及び利点は添付図面に基づいた以後の詳細な説明によってさらに明確になる。これに先立って、本明細書及び特許請求の範囲に用いられた用語や単語は通常的で且つ辞典的な意味に解釈されてはならなく、発明者が自分の発明を最も最善な方法で説明するために用語の概念を適切に定義することができるという原則に即して、本発明の技術思想に適合する意味と概念に解釈すべきである。
【発明の効果】
【０００９】
本発明による目保護カバー支持台によれば、前面カバーの上部側に分節ラインによって連結される前面折畳カバーと、後面カバーの上部側に分節ラインによって連結される後面折畳カバーと、前面カバー及び後面カバーと前面折畳カバー及び後面折畳カバーとの間の広げられた角度を維持するようにする角度維持部とを含むことによって、携帯の時、一般のパンフレットのように折って携帯することができ、使用の時、読書台のように立てて使用することができる。
【００１０】
従って、記録されたページ部を確認する場合にも、腰や頭を下げる必要がなく、またページ部を容易に変えることができて、多様な使用性を向上させることができる效果が期待される。
【図面の簡単な説明】
【００１１】
【図１】本発明による目保護カバー支持台の第１実施形態の斜視図。
【図２】図１の目保護カバー支持台において、前面カバー及び後面カバーと第１前面折畳カバー及び第１後面折畳カバーを立てるための角度維持部の第１実施形態を説明するための図面。
【図３】図２の目保護カバー支持台の側面図で、第１前面折畳カバー及び第１後面折畳カバーによって前面カバー及び後面カバーが立てられた状態を説明するための図面。
【図４】図２の目保護カバー支持台の側面図で、第２前面折畳カバー及び第２後面折畳カバーによって前面カバー及び後面カバーが立てられた状態を説明するための図面。
【図５】図１の目保護カバー支持台において、前面カバー及び後面カバーと第１前面折畳カバー及び第１後面折畳カバーを立てるための角度維持部の第２実施形態を説明するための図面。
【図６】図１の目保護カバー支持台において、前面カバー及び後面カバーと第１前面折畳カバー及び第１後面折畳カバーを立てるための角度維持部の第２実施形態を説明するための図面。
【図７】図１の目保護カバー支持台において、着脱支持部の一例を説明するための図面。
【図８】図１の目保護カバー支持台において、前面カバー及び後面カバーと第１前面折畳カバー及び第１後面折畳カバーを立てるための角度維持部の第３実施形態を説明するための図面。
【図９】図１の目保護カバー支持台において、前面カバー及び後面カバーと第１前面折畳カバー及び第１後面折畳カバーを立てるための角度維持部の第４実施形態を説明するための図面。
【図１０】図１の目保護カバー支持台において、前面カバー及び後面カバーと第１前面折畳カバー及び第１後面折畳カバーを立てるための角度維持部の第５実施形態を説明するための図面。
【図１１】図１の目保護カバー支持台において、前面カバー及び後面カバーと第１前面折畳カバー及び第１後面折畳カバーを立てるための角度維持部の第６実施形態を説明するための図面。
【図１２】図１の目保護カバー支持台において、前面カバー及び後面カバーと第１前面折畳カバー及び第１後面折畳カバーを立てるための角度維持部の第７実施形態を説明するための図面。
【図１３】図１の目保護カバー支持台において、前面カバー及び後面カバーと第１前面折畳カバー及び第１後面折畳カバーを立てるための第１角度維持部の第８実施形態を説明するための図面。
【図１４】図１の目保護カバー支持台において、前面カバー及び後面カバーと第１前面折畳カバー及び第１後面折畳カバーを立てるための第１角度維持部の第９実施形態を説明するための図面。
【図１５】図１の目保護カバー支持台において、前面カバー及び後面カバーと第１前面折畳カバー及び第１後面折畳カバーを立てるための第１角度維持部の第１０実施形態を説明するための図面。
【図１６】図１５の第１角度維持部を抜粹した分解斜視図。
【図１７】図１の目保護カバー支持台において、前面カバー及び後面カバーと第１前面折畳カバー及び第１後面折畳カバーを立てるための第１角度維持部の第１１実施形態を説明するための図面。
【図１８】図１の目保護カバー支持台において、メイン連結部がスプリングであることを説明するための図面。
【図１９】図１８の目保護カバー支持台がパンフレットのように折畳まれた状態を説明するための図面。
【図２０】図１８の目保護カバー支持台において、第１前面折畳カバーと第１後面折畳カバーを連結する連結部材が採用されないことを説明するための図面。
【図２１】図１の目保護カバー支持台において、第１前面折畳カバー及び第２前面折畳カバーと第１後面折畳カバー及び第２後面折畳カバーが連結されないことを説明するための図面。
【図２２】図１の目保護カバー支持台において、第２前面折畳カバー及び第２後面折畳カバーの上部側に連結された第３前面カバー及び第３後面カバー、及び第３角度維持部を説明するための図面。
【図２３】図２２の目保護カバー支持台において、第２、３前面折畳カバー及び第２、３後面折畳カバーによって前面カバー及び後面カバーが立てられた状態を説明するための図面。
【図２４】図２２の目保護カバー支持台において、第１前面折畳カバー及び第１後面折畳カバーによって前面カバー及び後面カバーが立てられた状態を説明するための図面。
【図２５】本発明による目保護カバー支持台の第２実施形態の斜視図。
【図２６】図２５の目保護カバー支持台において、第１前面折畳カバー及び第２前面折畳カバー及び第１後面折畳カバー及び第２後面折畳カバーの上部側に第３前面折畳カバー及び第３後面折畳カバー、及び第３角度維持部が連結されることができることを説明するための図面。
【図２７】本発明による目保護カバー支持台の第３実施形態の斜視図。
【図２８】図２７の目保護カバー支持台において、第２前面折畳カバーと第２後面折畳カバーが分節ラインによって連結されたことを説明するための図面。
【発明を実施するための形態】
【００１２】
以下、添付された図面を参照して本発明による目保護カバー支持台を説明すれば下記の通りである。
【００１３】
まず、図面において、同一の構成要素または部品は同一の符号で示している。本発明を説明するにあたって、係わる公知の機能または構成に対する具体的な説明は本発明の要旨を明確にするために省略する。
【００１４】
図１は本発明による目保護カバー支持台の第１実施形態の斜視図であり、図２は図１の目保護カバー支持台において、前面カバー及び後面カバーと第１前面折畳カバー及び第１後面折畳カバーを立てるための角度維持部の第１実施形態を説明するための図面であり、図３は図２の目保護カバー支持台の側面図で、第１前面折畳カバー及び第１後面折畳カバーによって前面カバー及び後面カバーが立てられた状態を説明するための図面であり、図４は図２の目保護カバー支持台の側面図で、第２前面折畳カバー及び第２後面折畳カバーによって前面カバー及び後面カバーが立てられた状態を説明するための図面である。また、図７は図１の目保護カバー支持台において、着脱支持部の一例を説明するための図面である。
【００１５】
図示したように、本発明による目保護カバー支持台の第１実施形態は、メイン連結部１０によって折畳可能に連結される前面カバー２０及び後面カバー３０と；前面カバー２０及び後面カバー３０の背面に第１分節ライン２５ａ、３５ａによって連結されて、その前面カバー２０及び後面カバー３０に折畳まれる第１前面折畳カバー２５及び第１後面折畳カバー３５と；第１前面折畳カバー２５及び第１後面折畳カバー３５の上部側の第２分節ライン２６ａ、３６ａによって前面カバー２０及び後面カバー３０の背面に連結されて、その前面カバー２０及び後面カバー３０に折畳まれる第２前面折畳カバー２６及び第２後面折畳カバー３６と；前面カバー２０及び後面カバー３０と第１前面折畳カバー２５及び第１後面折畳カバー３５との間に連結されて、その前面カバー２０及び後面カバー３０と第１前面折畳カバー２５及び第１後面折畳カバー３５との間の広げられた角度を維持するようにする第１角度維持部と；前面カバー２０及び後面カバー３０と第２前面折畳カバー２６及び第２後面折畳カバー３６との間に連結されて、その前面カバー２０及び後面カバー３０と第２前面折畳カバー２６及び第２後面折畳カバー３６との間の広げられた角度を維持するようにする第２角度維持部を含むことを特徴とする。
【００１６】
この時、メイン連結部１０と前面カバー２０と後面カバー３０中のいずれか一つまたは両側には、図５に示したように、各種情報が印刷されたり、筆記ができるようにするページ部（図示せず）を着脱可能に支持するための着脱支持部６０が設置されることが好ましい。
【００１７】
このような着脱支持部６０は多様な形態に具現されることができる。例えば図７に示したように、メイン連結部１０または前面カバー２０または後面カバー３０に所定の間隔で設置される第１着脱部６１と、書籍またはその他の多様なページ部の前面と後面がそれぞれ挿入されるポケット６３ａ、６３ｂが形成されたページ支持部６３と、ページ支持部６３を製本する部分に設置されて、第１着脱部６１に着脱される第２着脱部６２とを含むことができる。この時、第１着脱部６１及び第２着脱部６２は磁石と鉄片で具現されたり、互いに反対極性を向く磁石で具現されることができる。
【００１８】
また、着脱支持部は、メイン連結部１０に設置される公知のスプリングバインダーで具現されたり、前面カバー２０と後面カバー３０の中の少なくともいずれか一つに設置されたり、前面カバー２０と後面カバー３０の中のいずれか一つの上端に設置されて、ページ部の上端を着脱可能に支持するクリップ形態で具現されたり、前面カバー２０及び／または後面カバー３０の内側に形成されて、メモ紙や名刺等が挿入されるポケット形態で具現されたり、メイン連結部１０に設置されるもので、紙が入ることができる多数のビニール袋で具現されることができる。この他にも着脱支持部は、前面カバー２０と後面カバー３０のそれぞれに縦方向に設置されるゴム輪で具現されることができるなど多様に具現されることができる。
【００１９】
前面カバー及び後面カバー及び第１前面折畳カバー及び第２前面折畳カバー及び第１後面折畳カバー及び第２後面折畳カバーはテーブルの上に立てられるために、ある程度の堅固性が必要であるので、比較的に堅固性が高くて、製造コストが低廉なポリプロピレン（一般に、ＰＰと称する）を射出して製造したり、アクリル、ハードボードのような紙、プラスチック、アルミニウム、木等で具現される。また、高級性を付加させるために、前面カバー２０及び後面カバー３０には天然皮や合成皮、布が包まれ、角部分を曲線処理することもできる。
【００２０】
第１前面折畳カバー２５及び第１後面折畳カバー３５の幅Ｄ１は、図２に示したように、第２前面折畳カバー２６及び第２後面折畳カバー３６の幅Ｄ２より大きい。しかし、第１前面折畳カバー及び第２前面折畳カバー２５及び第１後面折畳カバー及び第２後面折畳カバー３５の幅が第２前面カバー２６及び第２後面カバー３６の幅より小さくてもよい。
【００２１】
一方、図１で第１前面折畳カバー２５及び第１後面折畳カバー３５の下端は前面カバー２０及び後面カバー３０の下端と一致するものと図示されている。しかし、第１前面折畳カバー及び第２前面折畳カバー２５及び第１後面折畳カバー及び第２後面折畳カバー３５の下端が前面カバー２０及び後面カバー３０の下端の上部に形成されてもよい。
【００２２】
また、図１で第２前面折畳カバー２６及び第２後面折畳カバー３６を前面カバー２０及び後面カバー３０に連結する第２分節ライン２６ａ、３６ａが前面カバー２０及び後面カバー３０の上部側に形成されているものと図示されているが、第２分節ライン２６ａ、３６ａが前面カバー２０及び後面カバー３０の最上端に形成されてもよい。
【００２３】
メイン連結部１０はその両側で分節ライン１０ａによって前面カバー２０と後面カバー３０を連結する。
【００２４】
第１前面折畳カバー２５と第１後面折畳カバー３５は、分節ライン１５ａによって、第１サブ連結部１５によって連結され、第２前面折畳カバー２６と第２後面折畳カバー３６は、分節ライン１６ａによって、第２サブ連結部１６によって連結される。
【００２５】
第１前面折畳カバー２５及び第１後面折畳カバー３５の下端角とその下端角に対応される前面カバー２０及び後面カバー３０には、その第１前面折畳カバー２５及び第１後面折畳カバー３５が折畳まれた状態を維持できるように第１着脱部５１ａ、５１ｂが設置される。このような第１着脱部５１ａ、５１ｂはそれぞれ互いに着脱可能なベルクロで具現されたり、磁力で着脱可能になるように磁石と鉄片で具現されたり、反対極性に配置される磁石や、磁性ボタンまたは非磁石ボタン等で具現されることができる。
【００２６】
第２前面折畳カバー２６及び第２後面折畳カバー３６の下端角とその下端角に対応される前面カバー２０及び後面カバー３０には、その第２前面折畳カバー２６及び第２後面折畳カバー３６が折畳まれた状態を維持できるように第２着脱部５２ａ、５２ｂが設置される。このような第２着脱部５２ａ、５２ｂは、それぞれ互いに着脱可能なベルクロで具現されたり、磁力で着脱可能になるように磁石と鉄片で具現されたり、反対極性に配置される磁石や、非磁石ボタン等で具現されることができる。
【００２７】
第２角度維持部４６は、本発明のカバー支持台が立てられるために、前面カバー２０及び後面カバー３０と第２前面折畳カバー２６及び第２後面折畳カバー３６との間が広げられた状態を維持するようにする。このような第２角度維持部４６は、前面カバー２０及び後面カバー３０と第２前面折畳カバー２６及び第２後面折畳カバー３６との間に連結されて固定される帯形状の部材で具現され、第２前面折畳カバー２６及び第２後面折畳カバー３６が前面カバー２０及び後面カバー３０に折畳まれる時折り畳まれる。
【００２８】
第１角度維持部は、本発明の目保護カバー支持台が異なる角度で立てられるために、前面カバー２０及び後面カバー３０と第１前面折畳カバー２５及び第１後面折畳カバー３５との間が広げられた状態を維持するようにする。これら第１角度維持部は多様な形態に具現されることができる。
【００２９】
第１角度維持部４５の第１実施形態は、図２及び図３に示したように、第１前面折畳カバー２５及び第１後面折畳カバー３５と前面カバー２０及び後面カバー３０との間に連結されて固定される帯形状の部材で具現される。
【００３０】
この時、第１角度維持部４５である帯形状の部材の幅が広い場合、第１前面折畳カバー２５及び第１後面折畳カバー３５と前面カバー２０及び後面カバー３０の幅と等しくなることができる。また、上記の第１角度維持部４５の第１実施形態が一つで具現されることができるが、この場合、第１角度維持部４５はメイン連結部１０とサブ連結部１５との間に設置される。このように、第１角度維持部４５の個数や大きさは多様に変形されることができる。
【００３１】
図５及び図６は図１の目保護カバー支持台において、前面カバー及び後面カバーと第１前面折畳カバー及び第１後面折畳カバーを立てるための第１角度維持部の第２実施形態を説明するための図面である。
【００３２】
第１角度維持部１４５の第２実施形態は、図５及び図６に示したような構造で具現されることができる。即ち、第１角度維持部１４５は、第１前面折畳カバー２５及び第１後面折畳カバー３５に連結されて、前面カバー２０及び後面カバー３０の下部側に掛けられる帯形状の部材１４５ａと、前面カバー２０及び後面カバー３０の上部側に所定の間隔で形成される第１着脱部１４５ｂと、帯形状の部材１４５ａに設置されて、第１着脱部１４５ｂに着脱される第２着脱部１４５ｃとを含む。
【００３３】
上記した帯形状の部材１４５ａは、布、プラスチック、ポリ系列の樹脂、皮、紙等の材質で具現される。また、第１着脱部１４５ｂ及び第２着脱部１４５ｃは、互いに着脱可能なベルクロで具現されたり、磁力で着脱可能になるように磁石と鉄片で具現されたり、反対極性に配置される磁石で具現されたり、非磁石ボタン等で具現されることができる。
【００３４】
この時、上記した帯形状の部材１４５ａは前面カバー２０及び後面カバー３０の下部側に貫通溝（図示せず）を形成した後、その貫通溝を貫通できるようにし、または、前面カバー２０及び後面カバー３０の下端部に掛けられるようにすることもでき、または、前面カバー２０及び後面カバー３０の側端部に掛けられてもよい。また、上記の第１角度維持部１４５の第２実施形態は一つでも具現されることができるが、この場合、第１角度維持部１４５はメイン連結部１０とサブ連結部１５との間に設置される。
【００３５】
図８は図１の目保護カバー支持台において、前面カバー及び後面カバーと第１前面折畳カバー及び第１後面折畳カバーを立てるための角度維持部の第３実施形態を説明するための図面である。
【００３６】
第１角度維持部２４５の第３実施形態は、図８に示したような構造に具現されることができる。即ち、第１角度維持部２４５は、前面カバー２０及び後面カバー３０の下端に折畳可能に連結されたもので、第１前面折畳カバー２５及び第１後面折畳カバー３５の端部が挿入される多数の係止突起２４５ａが形成された部材で具現されることができる。この時、前面カバー２０と後面カバー３０それぞれには、第１角度維持部２４５が嵌められる嵌込溝２１、３１が形成され、嵌込溝２１、３１は前面カバー２０及び後面カバー３０の背面または前面に形成されることが好ましい。
【００３７】
図９は図１の目保護カバー支持台において、前面カバー及び後面カバーと第１前面折畳カバー及び第１後面折畳カバーを立てるための角度維持部の第４実施形態を説明するための図面である。
【００３８】
第１角度維持部３４５の第４実施形態は、図９に示したような構造に具現されることができる。即ち、第１角度維持部３４５は、前面カバー２０及び後面カバー３０の下端に折畳可能に連結されたもので、第１前面折畳カバー２５及び第１後面折畳カバー３５の端部が掛けられたり、前面カバー２０及び後面カバー３０のそれぞれの背面に形成された多数の係止溝２２ａ、３２ａに嵌められる多数の係止突起３４５ａが形成された部材で具現されることができる。ここで、係止溝２２ａ、３２ａは、前面カバー２０及び後面カバー３０のそれぞれの背面または前面に長く形成された嵌込溝２２、３２に形成されている。上記の第１角度維持部３４５は、全体的に矩形に形成され、係止突起３４５ａが形成されるようにワイヤで成形して具現されることができる。
【００３９】
図１０は図１の目保護カバー支持台において、前面カバー及び後面カバーと第１前面折畳カバー及び第１後面折畳カバーを立てるための第１角度維持部の第５実施形態を説明するための図面である。
【００４０】
第１角度維持部４４５の第５実施形態は、図１０に示したような構造に具現されることができる。即ち、第１角度維持部４４５は、全体的に矩形に形成された板材４４５ａに独立的な構成である係止突起４４５ｂを成形や熔接等の方法によって附着することによって具現される。
【００４１】
この時、第１角度維持部４４５を使用しない場合に、図１０に示したように、第１前面カバー２０及び第１後面カバー３０の前面にそれぞれ長く形成された嵌込溝２２′、３２′に嵌められて保管されることができる。また、第１角度維持部４４５を嵌めることができる嵌込溝は前面カバー２０及び後面カバー３０の背面にも形成されてもよい。
【００４２】
上記の第１角度維持部の第３、４、５実施形態は一つでも具現されることができるが、この場合、第１角度維持部２４５、３４５、４４５は、メイン連結部１０とサブ連結部１５との間に連結されることができる。
【００４３】
図１１は図１の目保護カバー支持台において、前面カバー及び後面カバーと第１前面折畳カバー及び第１後面折畳カバーを立てるための第１角度維持部の第６実施形態を説明するための図面である。
【００４４】
第１角度維持部５４５の第６実施形態は、図１１に示したような構造に具現されることができる。即ち、第１角度維持部５４５は、前面カバー２０及び後面カバー３０の下端に折畳可能に連結されたもので、その内部に所定の間隔で第１磁力式着脱部５４５ｂが内蔵された平板部材５４５ａと、第１前面折畳カバー２５及び第１後面折畳カバー３５の端部に内蔵されて、第１磁力式着脱部５４５ｂに着脱される第２磁力式着脱部５４５ｃとを含んで具現されることができる。この時、前面カバー２０と後面カバー３０のそれぞれには、第１角度維持部５４５が嵌められる嵌込溝２３、３３が形成されることが好ましい。この時、第２磁力式着脱部５４５ｃが設置される平板部材５４５ａは凹凸形状に具現されてもよい。
【００４５】
図１２は図１の目保護カバー支持台において、前面カバー及び後面カバーと第１前面折畳カバー及び第１後面折畳カバーを立てるための第１角度維持部の第７実施形態を説明するための図面である。
【００４６】
第１角度維持部６４５の第７実施形態は、図１２に示したように、前面カバー２０及び後面カバー３０の端部の全体面と第１前面折畳カバー２５及び第１後面折畳カバー３５の端部の全体面を連結するもので、折畳まれることができるように中央に折り目が形成されたシート部材で具現することができる。
【００４７】
図１３は図１の目保護カバー支持台において、前面カバー及び後面カバーと第１前面折畳カバー及び第１後面折畳カバーを立てるための第１角度維持部の第８実施形態を説明するための図面である。
【００４８】
第１角度維持部の第８実施形態は、図１３に示したように、前面カバー２０及び後面カバー３０の下端に折畳可能に連結されたもので、内側にガイド溝７４５ａが形成され、上部側に第１前面折畳カバー２５及び第１後面折畳カバー３５の端部が嵌められる多数の第１係止突起７４５ｂが形成されたボディー７４５と、ガイド溝７４５ａに沿ってスライドされ、上部側に第１前面折畳カバー２５及び第１後面折畳カバー３５の端部が嵌められる多数の第２係止突起７４６ｂが形成されたスライダー７４６を含む。このような構造によって、スライダー７４６がボディー７４５の端部で第１前面折畳カバー２５及び第１後面折畳カバー３５側にスライドされ、この状態で第１前面折畳カバー２５及び第１後面折畳カバー３５の端部が第１係止突起７４５ｂ及び／または第２係止突起７４６ｂに掛けられる。この時、掛けられる第１係止突起７４５ｂ及び第２係止突起７４６ｂの位置によって目保護カバー支持台の立て角度が変わる。
【００４９】
図１４は図１の目保護カバー支持台において、前面カバー及び後面カバーと第１前面折畳カバー及び第１後面折畳カバーを立てるための第１角度維持部の第９実施形態を説明するための図面である。
【００５０】
第１角度維持部の第９実施形態は、図１４に示したように、前面カバー２０及び後面カバー３０の下端に折畳可能に連結されたもので、内側にガイド溝８４５ａが形成され、上部側に第１前面折畳カバー２５及び第１後面折畳カバー３５の端部が嵌められる多数の第１係止突起８４５ｂが形成されたボディー８４５と、ガイド溝８４５ａの端部に回動可能に設置されて、そのガイド溝８４５ａに嵌められたり広げられるもので、上部側に第１前面折畳カバー２５及び第１後面折畳カバー３５の端部が嵌められる多数の第２係止突起８４６ｂが形成された回転バー８４６とを含む。このような構造によって、回転バー８４６がボディー８４５の端部で第１前面折畳カバー２５及び第１後面折畳カバー３５側に回動され、この状態で第１前面折畳カバー２５及び第１後面折畳カバー３５の端部が第１係止突起８４５ｂ及び／または第２係止突起８４６ｂに掛けられる。この時、掛けられる第１、２係止突起８４５ｂ、８４６ｂの位置によって、目保護カバー支持台の立て角度が変わる。
【００５１】
図１５は図１の目保護カバー支持台において、前面カバー及び後面カバーと第１前面折畳カバー及び第１後面折畳カバーを立てるための第１角度維持部の第１０実施形態を説明するための図面であり、図１６は図１５の第１角度維持部を抜粹した分解斜視図である。
【００５２】
第１角度維持部の第１０実施形態は、図１５及び図１６に示したように、前面カバー２０及び後面カバー３０のそれぞれに直角方向に内蔵され、端部に離脱防止突起９４５ａが形成されたガイド管９４５と、ガイド管９４５の内部でスライドするもので、離脱防止突起９４５ａに掛けられる離脱防止突起９４６ａが形成され、上部側に第１前面折畳カバー２５及び第１後面折畳カバー３５の端部が嵌められる多数の係止突起９４６ｂが形成されたスライダー９４６とを含む。このような構造によって、スライダー９４６がガイド管９４５の内部から突出された後、離脱防止突起９４６ａが離脱防止突起９４５ａに掛けられて、第１前面折畳カバー２５及び第１後面折畳カバー３５側に回動され、この状態で第１前面折畳カバー２５及び第１後面折畳カバー３５の端部が係止突起９４６ｂに掛けられる。この時、掛けられる係止突起９４６ｂの位置によって目保護カバー支持台の立て角度が変わる。
【００５３】
上記説明したように、第１角度維持部は上記説明された形態の他にも、その他多様な形態の長さの固定方式、長さの延長可能方式に具現されることができる。
【００５４】
図１７は図１の目保護カバー支持台において、前面カバー及び後面カバーと第１前面カバー及び第１後面カバーを立てるための第１角度維持部の第１１実施形態を説明するための図面である。
【００５５】
第１角度維持部１０４５の第１１実施形態は、前面カバー２０及び後面カバー３０のそれぞれの下端に折畳可能に連結されたもので、第１前面折畳カバー２５及び第１後面折畳カバー３５にそれぞれ形成された穿孔溝２５ｃ、３５ｃに貫通されて嵌められる多数の係止突起部１０４５ａが形成された部材で具現される。ここで、互いに掛けられたり、分離される係止突起部１０４５ａや穿孔溝２５ｃ、３５ｃは多様な形態に具現されることができる。このような構造によって、穿孔溝２５ｃ、３５ｃに掛けられる係止突起部１０４５ａの位置によって、目保護カバー支持台の立て角度が変わる。
【００５６】
図１８は図１の目保護カバー支持台において、メイン連結部がスプリングであることを説明するための図面であり、図１９は図１８の目保護カバー支持台がパンフレットのように折畳まれた状態を説明するための図面であり、図２０は図１８の目保護カバー支持台において、第１前面折畳カバーと第１後面折畳カバーを連結する連結部材が採用されないことを説明するための図面である。
【００５７】
今までメイン連結部１０は前面カバー２０と後面カバー３０の側端部に直接連結されているが、図１８に示したように、前面カバー２０と後面カバー３０を連結するスプリング１０′でも具現されることができる。この場合、スプリングであるメイン連結部１０′に掛けられないように、第１前面折畳カバー２５′と第１後面折畳カバー３５′は分離されて、メイン連結部１０′の両側の前面カバー２０及び後面カバー３０に折畳まれ、第２前面折畳カバー２６′と第２後面折畳カバー３６′もメイン連結部１０′の両側の前面カバー２０及び後面カバー３０に折畳まれる。
この時、第１前面折畳カバー２５′と第１後面折畳カバー３５′が図１８に示したように、別途の連結部材１５′によって連結されることができ、連結部材１５′は第１前面折畳カバー２５′と第１後面折畳カバー３５′を部分的に連結したり、全体を連結する。また、第２前面折畳カバー２６′と第２後面折畳カバー３６′も別途の連結部材（図示せず）によって互いに連結されてもよい。
【００５８】
このような構造によって、図１９に示したような方式でパンフレットのように折畳まれる。
【００５９】
一方、図２０に示したように、第１前面折畳カバー２５′と第１後面折畳カバー３５′との間には連結部材１５′が採用されないこともある。
【００６０】
図２１は図１の目保護カバー支持台において、第１前面折畳カバー及び第２前面折畳カバーと第１後面折畳カバー及び第２後面折畳カバーが連結されないことを説明するための図面である。
【００６１】
一方、図２１に示したように、第１前面折畳カバー２５′と第１後面折畳カバー３５′が連結されないで、第２前面折畳カバー２６′と第２後面折畳カバー３６′が連結されない状態で、メイン連結部（１０″）が前面カバー２０と後面カバー３０を全体的に連結することができる。この時、メイン連結部（１０″）は前面カバー２０及び後面カバー３０の端部で直接連結される部材で、多様な材料で具現されることができ、前面カバー２０及び後面カバー３０と同じ材料を用いて具現されることもできて、他の材料で具現されることもできる。
【００６２】
上記の構造によって、前面カバー２０及び後面カバー３０に対して第１前面折畳カバー２５及び第１後面折畳カバー３５を広げると、第１角度維持部４５が平らになり、一方、第２前面折畳カバー２６及び第２後面折畳カバー３６を前面カバー２０及び後面カバー３０に折畳むと、前面カバー２０及び後面カバー３０は、図３に示したように、急な傾斜角で立てられることができる。
【００６３】
また、前面カバー２０及び後面カバー３０に第１前面折畳カバー２５及び第１後面折畳カバー３５を折畳み、一方、第２前面折畳カバー２６及び第２後面折畳カバー３６を前面カバー２０及び後面カバー３０に対して広げると、第２角度維持部４６が平らになり、この状態で前面カバー２０及び後面カバー３０は、図４に示したような小さな傾斜角で立てられることができる。
【００６４】
図２２は図１の目保護カバー支持台において、第２前面折畳カバー及び第２後面折畳カバーの上部側に連結された第３前面カバー及び第３後面カバー及び第３角度維持部を説明するための図面であり、図２３は図２２の目保護カバー支持台において、第２、３前面折畳カバー及び第２、３後面折畳カバーによって前面カバー及び後面カバーが立てられた状態を説明するための図面であり、図２４は図２２の目保護カバー支持台において、第１前面折畳カバー及び第１後面折畳カバーによって前面カバー及び後面カバーが立てられた状態を説明するための図面である。
【００６５】
図示したように、第２前面折畳カバー２６及び第２後面折畳カバー３６の上部側の前面カバー２０及び後面カバー３０の背面には、その前面カバー２０及び後面カバー３０に折畳まれる第３前面折畳カバー２７及び第３後面折畳カバー３７が第３分節ライン２７ａ、３７ａによって連結されることができる。この場合、前面カバー２０及び後面カバー３０と第３前面折畳カバー２７及び第３後面折畳カバー３７との間には広げられた角度を維持するようにする第３角度維持部４７が設置される。
【００６６】
この時、第３前面折畳カバー２７及び第３後面折畳カバー３７の下端角とその下端角に対応される前面カバー２０及び後面カバー３０にはその第３前面折畳カバー２７及び第３後面折畳カバー３７が折畳まれた状態を維持できるように第３着脱部５３ａ、５３ｂが設置され、このような第３着脱部５３ａ、５３ｂは実質的に第１、２着脱部５１ａ、５１ｂ、５２ａ、５２ｂと同一である。
【００６７】
図２２乃至図２４の実施形態では、三つの第１、２、３前面折畳カバー及び第１、２、３後面折畳カバーが前面カバー及び後面カバーに連結されたことを例示しているが、前面折畳カバー及び後面折畳カバーを四つまたはそれ以上を追加して前面カバー及び後面カバーに連結してもよい。また、第１、２、３前面折畳カバー及び第１、２、３後面折畳カバーの幅の大きさを多様にすることもできる。
【００６８】
上記の構造によって、前面カバー２０及び後面カバー３０に対して第２、３前面折畳カバー２６、３６及び第２、３後面折畳カバー２７、３７を広げると、第２、３角度維持部４６、４７が平らになり、一方、第１前面折畳カバー２５及び第１後面折畳カバー３５を前面カバー２０及び後面カバー３０に折畳むと、前面カバー２０及び後面カバー３０は、図２３に示したように、傾斜して立てられることができる。また、前面カバー２０及び後面カバー３０に第２、３前面折畳カバー２６、３６及び第２、３後面折畳カバー２７、３７を折畳んで、第１前面折畳カバー２５及び第１後面折畳カバー３５を前面カバー２０及び後面カバー３０に対して広げると、第１角度維持部４５が平らになり、この状態で前面カバー２０及び後面カバー３０は図２４に示したように、急な傾斜角で立てられることができる。
【００６９】
図２５は本発明による目保護カバー支持台の第２実施形態の斜視図であり、図２６は図２５の目保護カバー支持台において、第１前面折畳カバー及び第２前面折畳カバー及び第１後面折畳カバー及び第２後面折畳カバーの上部側に第３前面折畳カバー及び第３後面折畳カバー及び第３角度維持部が連結されることができることを説明するための図面である。
【００７０】
図示したように、本発明による目保護カバー支持台の第２実施形態は、メイン連結部１１０によって折畳可能に連結される前面カバー１２０及び後面カバー１３０と；前面カバー１２０及び後面カバー１３０の背面に共通分節ライン１２５ａ、１３５ａによって連結されて、その前面カバー１２０及び後面カバー１３０に折畳まれる第１前面折畳カバー１２５及び第１後面折畳カバー１３５と；共通分節ライン１２５ａ、１３５ａに連結されて、第１前面折畳カバー１２５及び第１後面折畳カバー１３５に折畳まれる第２前面折畳カバー１２６及び第２後面折畳カバー１３６と；前面カバー１２０及び後面カバー１３０と第１前面折畳カバー１２５及び第１後面折畳カバー１３５との間に連結されて、その前面カバー１２０及び後面カバー１３０と第１前面折畳カバー１２５及び第１後面折畳カバー１３５との間の広げられた角度を維持するようにする第１角度維持部１０４５と；第１前面折畳カバー１２５及び第１後面折畳カバー１３５と第２前面折畳カバー１２６及び第２後面折畳カバー１３６との間に連結されて、その第１前面折畳カバー１２５及び第１後面折畳カバー１３５と第２前面折畳カバー１２６及び第２後面折畳カバー１３６との間の広げられた角度を維持するようにする第２角度維持部１０４６と；を含むことを特徴とする。
【００７１】
この時、メイン連結部１１０と前面カバー１２０と後面カバー１３０の中のいずれか一つまたは両側には、図５に示したように、各種情報が印刷されたり、筆記ができるようにするページ部（図示せず）を着脱可能に支持するための着脱支持部１６０が設置されることが好ましい。
【００７２】
このような着脱支持部は多様な形態に具現できる。例えば図６に示したように、メイン連結部１１０に所定の間隔で設置される第１着脱部１６１と、書籍またはその他多様なページ部の前面と後面がそれぞれ嵌められるポケット１６３ａ、１６３ｂが形成されたページ支持部１６３と、ページ支持部１６３を製本する部分に設置されて、第１着脱部１６１に着脱される第２着脱部１６２とで構成されることができる。この時、第１着脱部１６１及び第２着脱部１６２は磁石と鉄片で具現されたり、互いに反対極性を向かう磁石で具現されることができる。
【００７３】
また、着脱支持部は、メイン連結部１１０に設置される公知のスプリングバインダーで具現されたり、前面カバー１２０と後面カバー１３０の中の少なくともいずれか一つの上端に設置されて、ページ部の上端を着脱可能に支持するクリップ形態で具現されたり、前面カバー１２０及び／または後面カバー１３０の内側に形成されて、メモ紙や名刺等が嵌められるポケット形態に具現されたり、メイン連結部１１０に設置されるもので、紙が入ることができる多数のビニール袋で具現されることができる。この他にも着脱支持部は、前面カバー１２０と後面カバー１３０のそれぞれに縦方向に設置されるゴム輪で具現されることができるなど多様に具現されることができる。
【００７４】
前面カバー及び後面カバー及び第１前面折畳カバー及び第２前面折畳カバー及び第１後面折畳カバー及び第２後面折畳カバーの材質は目保護カバー支持台の第１実施形態で説明したのと実質的に同じであるので、これ以上の説明は省略する。
【００７５】
第１前面折畳カバー１２５及び第１後面折畳カバー１３５の幅Ｄ１は、第２前面折畳カバー１２６及び第２後面折畳カバー１３６の幅Ｄ２より大きい。
【００７６】
また、共通分節ライン１２５ａ、１３５ａが前面カバー１２０及び後面カバー１３０の上部側に形成されたものと図示されているが、共通分節ラインが前面カバー１２０及び後面カバー１３０の最上端に形成されてもよい。
【００７７】
この時、第１前面折畳カバー１２５及び第１後面折畳カバー１３５のそれぞれには第２前面折畳カバー１２６及び第２後面折畳カバー１３６がそれぞれ嵌められる段差部１２５′、１３５′が形成される。段差部１２５′、１３５′は第１前面カバー１２５及び第１後面カバー１３５より薄厚を有し、第２前面折畳カバー１２６及び第２後面折畳カバー１３６が段差部１２５′、１３５′に折畳まれる時、全体厚さは第１前面折畳カバー１２５及び第１後面折畳カバー１３５の厚さと同じくなることが好ましい。
【００７８】
メイン連結部１１０はその両側で分節ライン１１０ａによって前面カバー１２０と後面カバー１３０を連結する。第１前面折畳カバー１２５と第１後面折畳カバー１３５は、分節ライン１１５ａによって、第１サブ連結部１１５によって連結され、第２前面折畳カバー１２６と第２後面折畳カバー１３６は、分節ライン１１６ａによって、第２サブ連結部１１６によって連結される。
【００７９】
第１前面折畳カバー１２５及び第１後面折畳カバー１３５の下端角とその下端角に対応される前面カバー１２０及び後面カバー１３０には、その第１前面折畳カバー１２５及び第１後面折畳カバー１３５が前面カバー１２０及び後面カバー１３０に折畳まれた状態を維持するようにする第１着脱部１５１ａ、１５１ｂが設置される。
【００８０】
第２前面折畳カバー１２６及び第２後面折畳カバー１３６の下端角とその下端角に対応される第１前面折畳カバー１２５及び第１後面折畳カバー１３５には、その第２前面折畳カバー１２６及び第２後面折畳カバー１３６が第１前面カバー１２５及び第１後面カバー１３５に折畳まれた状態を維持できるように第２着脱部１５２ａ、１５２ｂが設置される。このような第１着脱部１５１ａ、１５１ｂ及び第２着脱部１５２ａ、１５２ｂそれぞれは、第１実施形態での  第１着脱部５１ａ、５１ｂ及び第２着脱部５２ａ、５２ｂと実質的に同じ部材である。
【００８１】
第２角度維持部１０４６は本発明のカバー支持台が立てられるために第２前面折畳カバー１２６及び第２後面折畳カバー１３６と第１前面折畳カバー１２５及び第１後面折畳カバー１３５との間が広げられた状態を維持するようにする。このような第２角度維持部１０４６は、第２前面折畳カバー１２６及び第２後面折畳カバー１３６と第１前面折畳カバー１２５及び第１後面折畳カバー１３５との間に連結されて固定される帯形状の部材で具現され、第２前面折畳カバー１２６及び第２後面折畳カバー１３６が第１前面折畳カバー１２５及び第１後面折畳カバー１３５に折畳まれる時に折畳まれる。
【００８２】
第１角度維持部１０４５は本発明の目保護カバー支持台が異なる角度で立てられるために、前面カバー１２０及び後面カバー１３０と第１前面折畳カバー１２５及び第１後面折畳カバー１３５との間が広げられた状態を維持するようにする。これら第１角度維持部１０４５は多様な形態で具現されることができ、第１実施形態で説明されたのと実質的に同じであるので、これ以上の詳細な説明は省略する。
【００８３】
一方、図２６に示したように、共通分節ライン１２５ａ、１３５ａの上部側の前面カバー１２０及び後面カバー１３０の背面には、その前面カバー１２０及び後面カバー１３０に折畳まれる第３前面折畳カバー１２７及び第３後面折畳カバー１３７が第３分節ライン１２７ａ、１３７ａによって連結されることができる。この場合、前面カバー１２０及び後面カバー１３０と第３前面折畳カバー１２７及び第３後面折畳カバー１３７との間には広げられた角度を維持するようにする第３角度維持部７４７が設置される。図２６の実施形態では、三つの第１、２、３前面折畳カバー及び第１、２、３後面折畳カバーが前面カバー及び後面カバーに連結されたことを例示しているが、前面折畳カバー及び後面折畳カバーを四つまたはそれ以上を追加して前面カバー及び後面カバーに連結してもよい。また、第１、２、３前面折畳カバー及び第１、２、３後面折畳カバーの幅の大きさを多様に設定することができる。
【００８４】
図２７は本発明による目保護カバー支持台の第３実施形態の斜視図であり、図２８は図２７の目保護カバー支持台において、第２前面折畳カバーと第２後面折畳カバーが分節ラインによって連結されたことを説明するための図面である。
【００８５】
図示したように、本発明による目保護カバー支持台の第３実施形態は、メイン連結部２１０によって折畳可能に連結される前面カバー２２０及び後面カバー２３０と；前面カバー２２０及び後面カバー２３０の背面に分節ライン２２５ａ、２３５ａによって連結されて、その前面カバー２２０及び後面カバー２３０に折畳まれるもので、その内側に前面貫通部２２６ｂ及び後面貫通部２３６ｂが形成された第１前面折畳カバー２２５及び第１後面折畳カバー２３５と；前面貫通部２２６ｂ及び後面貫通部２３６ｂの内側に位置され、その前面貫通部２２６ｂ及び後面貫通部２３６ｂの内側の分節ライン２２６ａ、２３６ａに連結されて、前面カバー２２０及び後面カバー２３０に折畳まれる第２前面折畳カバー２２６及び第２後面折畳カバー２３６と；前面カバー２２０及び後面カバー２３０と第１前面折畳カバー２２５及び第１後面折畳カバー２３５との間に連結されて、その前面カバー２２０及び後面カバー２３０と第１前面折畳カバー２２５及び第１後面折畳カバー２３５との間の広げられた角度を維持するようにする第１角度維持部１１４５と；前面カバー２２０及び後面カバー２３０と第２前面折畳カバー２２６及び第２後面折畳カバー２３６との間に連結されて、その前面カバー２２０及び後面カバー２３０と第２前面折畳カバー２２６及び第２後面折畳カバー２３６との間の広げられた角度を維持するようにする第２角度維持部１１４６と；を含む。
【００８６】
この時、メイン連結部２１０と前面カバー２２０と後面カバー２３０の中のいずれか一つまたは両側には、本発明の目保護カバー支持台の第１、２実施形態で説明されたような着脱支持部（図示せず）が設置される。
【００８７】
メイン連結部２１０はその両側で分節ライン２１０ａによって前面カバー２２０と後面カバー２３０を連結する。第１前面折畳カバー２２５と第１後面折畳カバー２３５は分節ライン２１５ａによって第１サブ連結部２１５によって連結される。
【００８８】
第１前面折畳カバー２２５及び第１後面折畳カバー２３５の下端角とその下端角に対応される前面カバー２２０及び後面カバー２３０にはその第１前面折畳カバー２２５及び第１後面折畳カバー２３５が前面カバー２２０及び後面カバー２３０に折畳まれた状態を維持できるようにする第１着脱部２５１ａ、２５１ｂが設置される。
【００８９】
また、第２前面折畳カバー２２６及び第２後面折畳カバー２３６とそれに対応される前面カバー２２０及び後面カバー２３０にはその第２前面折畳カバー２２６及び第２後面折畳カバー２３６が前面カバー２２０及び後面カバー２３０に折畳まれた状態を維持できるように第２着脱部２５２ａ、２５２ｂが設置される。このような第１着脱部２５１ａ、２５１ｂ及び２着脱部２５２ａ、２５２ｂのそれぞれは、第１実施形態での第１着脱部５１ａ、５１ｂ及び第２着脱部５２ａ、５２ｂと実質的に同じ部材である。
【００９０】
第１角度維持部１１４５は本発明の目保護カバー支持台が異なる角度で立てられるために、前面カバー２２０及び後面カバー２３０と第１前面折畳カバー２２５及び第１後面折畳カバー２３５との間が広げられた状態を維持するようにする。これら第１角度維持部１１４５は多様な形態に具現されることができ、目保護カバー支持台の第１実施形態で説明されたものと実質的に類似するので、これ以上の詳細な説明は省略する。
【００９１】
第２角度維持部１１４６は本発明のカバー支持台が立てられるために第２前面折畳カバー２２６及び第２後面折畳カバー２３６と前面カバー２２０及び後面カバー２３０との間が広げられた状態を維持するようにする。このような第２角度維持部１１４６は、第２前面折畳カバー２２６及び第２後面折畳カバー２３６と前面カバー２２０及び後面カバー２３０との間に連結されて固定される帯形状の部材で具現されることが好ましく、このような帯形状の部材は第２前面折畳カバー２２６及び第２後面折畳カバー２３６が前面カバー２２０及び後面カバー２３０に折畳まれる時に折畳まれる。
【００９２】
一方、図２８に示したように、前面貫通部と後面貫通部は互いに連結されており、第２前面折畳カバー２２６と第２後面折畳カバー２３６は分節ライン２１６ａによって連結されることもできる。この場合、第２前面折畳カバー２２６と第２後面折畳カバー２３６は分節ライン２１６ａによって第２サブ連結部２１６によって連結される。
【００９３】
また、第１前面折畳カバー２２５及び第１後面折畳カバー２３５と前面カバー２２０及び後面カバー２３０を連結する分節ライン２２５ａ、２３５ａと、第２前面折畳カバー２２６及び第２後面折畳カバー２３６と前面カバー２２０及び後面カバー２３０を連結する分節ライン２２６ａ、２３６ａは、本実施形態とは異なって一直線上に位置されないこともできる。
【００９４】
一方、本発明は記載された実施形態に限定されるものではなく、本発明の思想及び範囲を逸脱しないで、多様に修正及び変形が可能であることは当該技術分野において通常の知識を有する者にとっては自明である。従って、このような変形例または修正例は本発明の特許請求の範囲に属するべきである。
【符号の説明】
【００９５】
１０  メイン連結部  
１０ａ  分節ライン
１５  第１サブ連結部  
１５ａ  分節ライン
１６  第２サブ連結部  
１６ａ  分節ライン
２０、３０  前面カバー及び後面カバー  
２２、３２  嵌込溝
２２ａ、３２ａ  係止溝  
２５、３５  第１前面折畳カバー及び第１後面折畳カバー
２５ａ、３５ａ  第１分節ライン  
２６、３６  第２前面折畳カバー及び第２後面折畳カバー
２６ａ、３６ａ  第２分節ライン  
２７、３７  第３前面折畳カバー及び第３後面折畳カバー
２７ａ、３７ａ  第３分節ライン  
５１ａ、５１ｂ  第１着脱部
５２ａ、５２ｂ  第２着脱部  
４５  第１角度維持部
４６  第２角度維持部
４７  第３角度維持部
１４５  第１角度維持部  
２４５  第１角度維持部
３４５  第１角度維持部  
４４５  第１角度維持部
５４５  第１角度維持部  
６４５  第１角度維持部
７４５、７４６  第１角度維持部  
８４５、８４６  第１角度維持部
９４５、９４６  第１角度維持部  
１０４５第１角度維持部
１１０  メイン連結部  
１１０ａ  分節ライン
１１５  第１サブ連結部  
１１５ａ  分節ライン
１１６  第２サブ連結部  
１１６ａ  分節ライン
１２０、１３０  前面カバー及び後面カバー  
１２５、１３５  第１前面折畳カバー及び第１後面折畳カバー
１２５′、１３５′  段差部  
１２５ａ、１３５ａ  共通分節ライン
１２６、１３６  第２前面折畳カバー及び第２後面折畳カバー  
１５１ａ、１５１ｂ  第１着脱部
１５２ａ、１５２ｂ  第２着脱部
２１０  メイン連結部  
２１０ａ  分節ライン
２１５  第１サブ連結部  
２１５ａ  分節ライン
２１６  第２サブ連結部  
２１６ａ  分節ライン
２２０、２３０  前面カバー及び後面カバー  
２２５、２３５  第１前面折畳カバー及び第１後面折畳カバー
２２６、２３６  第２前面折畳カバー及び第２後面折畳カバー  
２５１ａ、２５１ｂ  第１着脱部
２５２ａ、２５２ｂ  第２着脱部
【図１】
2010538789.tif 000003
【図２】
2010538789.tif 000004
【図３】
2010538789.tif 000005
【図４】
2010538789.tif 000006
【図５】
2010538789.tif 000007
【図６】
2010538789.tif 000008
【図７】
2010538789.tif 000009
【図８】
2010538789.tif 000010
【図９】
2010538789.tif 000011
【図１０】
2010538789.tif 000012
【図１１】
2010538789.tif 000013
【図１２】
2010538789.tif 000014
【図１３】
2010538789.tif 000015
【図１４】
2010538789.tif 000016
【図１５】
2010538789.tif 000017
【図１６】
2010538789.tif 000018
【図１７】
2010538789.tif 000019
【図１８】
2010538789.tif 000020
【図１９】
2010538789.tif 000021
【図２０】
2010538789.tif 000022
【図２１】
2010538789.tif 000023
【図２２】
2010538789.tif 000024
【図２３】
2010538789.tif 000025
【図２４】
2010538789.tif 000026
【図２５】
2010538789.tif 000027
【図２６】
2010538789.tif 000028
【図２７】
2010538789.tif 000029
【図２８】
2010538789.tif 000030
【国際調査報告】
2010538789.tif 000031
2010538789.tif 000032